(57)【要約】【課題】本発明は、負荷回路の誤動作を防止しつつ、残留電荷を有効活用する。【解決手段】画像処理装置１は、その残留電荷除去部１０が、キャパシタＣと負荷回路２０との間に接続されキャパシタＣと負荷回路２０との接続／切り離しを行うスイッチＳＷ１と、キャパシタＣと負荷回路２０の所定部分との間に接続されキャパシタＣと負荷回路２０との接続／切り離しを行うスイッチＳＷ２と、スイッチＳＷ１、ＳＷ２に夫々直列に接続されているダイオードＤ１、Ｄ２と、電源回路部２から負荷回路２０への電源電力の供給／供給停止を制御するとともに、スイッチＳＷ１とスイッチＳＷ２の接続／切り離しを制御して、電源電力のＯＦＦ時に、負荷回路２０の残留電荷をスイッチＳＷ１を通してキャパシタＣに蓄積させ、電源ＯＮ時にキャパシタＣの電荷をスイッチＳＷ２を通して負荷回路２０に供給させる制御部３と、を備えている。【選択図】          図１
2014092712.tif 000002
【特許請求の範囲】
【請求項１】
電源供給手段から電源電力が供給される負荷回路に残留する電荷を除去する残留電荷除去装置であって、
前記負荷回路に接続され該負荷回路に残留する前記残留電荷を受け取って蓄積するキャパシタと、
前記キャパシタと前記負荷回路との間に接続され該キャパシタと該負荷回路との接続／切り離しを行う第１スイッチ手段と、
前記キャパシタと前記負荷回路の所定部分との間に接続され該キャパシタと該負荷回路の該所定部分との接続／切り離しを行う第２スイッチ手段と、
前記電源供給手段から前記負荷回路への電源電力の供給／供給停止を制御する電源制御手段と、
前記第１スイッチ手段と前記第２スイッチ手段の接続／切り離しを、前記電源制御手段による前記電源電力の供給／供給停止に基づいて制御して、少なくとも該電源電力の供給停止時に、前記負荷回路の前記残留電荷を該第１スイッチ手段を通して前記キャパシタに蓄積させ、所定のタイミングで該キャパシタの電荷を該第２スイッチ手段を通して該負荷回路の前記所定部分に供給させる制御手段と、
を備えていることを特徴とする残留電荷除去装置。
【請求項２】
前記残留電荷除去装置は、
前記第１スイッチ手段に直列に接続され前記負荷回路から前記キャパシタ方向へのみ電流の流れを規制する第１方向規制手段と、
前記第２スイッチ手段に直列に接続され前記キャパシタから前記負荷回路方向へのみ電流の流れを規制する第２方向規制手段と、
を備えていることを特徴とする請求項１記載の残留電荷除去装置。
【請求項３】
前記第２スイッチ手段は、
前記キャパシタと前記負荷回路の前記第１スイッチ手段の接続部分と同じ部分との間に該第１スイッチ手段に対して並列に接続され、
前記制御手段は、
前記電源制御手段による前記電源電力の供給開始時に、前記第２スイッチ手段を接続状態にして前記キャパシタの電荷を前記負荷回路に供給させることを特徴とする請求項１または請求項２記載の残留電荷除去装置。
【請求項４】
前記残留電荷除去装置は、
前記キャパシタの充電電位を検出する電位検出手段を、さらに備え、
前記制御手段は、
前記電位検出手段の検出結果に基づいて前記第１スイッチ手段の接続／切り離し動作を制御する請求項１から請求項３のいずれかに記載の残留電荷除去装置。
【請求項５】
前記残留電荷除去装置は、
前記負荷回路を前記キャパシタと接地ラインとに切り換えて接続する切換手段と、
前記キャパシタの充電電位を検出する電位検出手段と、
を、さらに備え、
前記制御手段は、
前記電位検出手段が、前記キャパシタの充電電位が該キャパシタの満充電電位を検出するまでは、前記切換手段に前記負荷回路と該キャパシタを接続させ、該電位検出手段が該キャパシタの満充電電位を検出すると、該切換手段に該負荷回路と前記接地ラインを接続させることを特徴とする請求項１から請求項４のいずれかに記載の残留電荷除去装置。
【請求項６】
電源供給手段から負荷回路に電力供給して該負荷回路を利用して画像処理を行うとともに、電源供給ＯＦＦ時に該負荷回路に残留する電荷を除去する残留電荷除去部を備えている画像処理装置であって、
前記残留電荷除去部として、請求項１から請求項５のいずれかに記載の残留電荷除去装置を備えていることを特徴とする画像処理装置。
【請求項７】
電源供給手段から電源電力が供給される負荷回路に残留する電荷を除去する残留電荷除去装置の実行する残留電荷除去方法であって、
前記負荷回路に接続され該負荷回路に残留する前記残留電荷を受け取って蓄積するキャパシタと前記負荷回路との接続／切り離しを行う第１スイッチ処理ステップと、
前記キャパシタと前記負荷回路の所定部分との接続／切り離しを行う第２スイッチ処理ステップと、
前記電源供給手段から前記負荷回路への電源電力の供給／供給停止を制御する電源制御処理ステップと、
前記第１スイッチ処理ステップと前記第２スイッチ処理ステップによる接続／切り離しを、前記電源制御処理ステップによる前記電源電力の供給／供給停止に基づいて制御して、少なくとも該電源電力の供給停止時に、前記負荷回路の前記残留電荷を該第１スイッチ処理ステップによって前記キャパシタに蓄積させ、所定のタイミングで該キャパシタの電荷を該第２スイッチ処理ステップによって該負荷回路の前記所定部分に供給させる制御処理ステップと、
を有していることを特徴とする残留電荷除去方法。
【請求項８】
電源供給手段から電源電力が供給される負荷回路に残留する電荷を除去する残留電荷除去装置の搭載する残留電荷除去プログラムであって、
制御プロセッサに、
前記負荷回路に接続され該負荷回路に残留する前記残留電荷を受け取って蓄積するキャパシタと前記負荷回路との接続／切り離しを行う第１スイッチ処理と、
前記キャパシタと前記負荷回路の所定部分との接続／切り離しを行う第２スイッチ処理と、
前記電源供給手段から前記負荷回路への電源電力の供給／供給停止を制御する電源制御処理と、
前記第１スイッチ処理と前記第２スイッチ処理による接続／切り離しを、前記電源制御処理による前記電源電力の供給／供給停止に基づいて制御して、少なくとも該電源電力の供給停止時に、前記負荷回路の前記残留電荷を該第１スイッチ処理によって前記キャパシタに蓄積させ、所定のタイミングで該キャパシタの電荷を該第２スイッチ処理によって該負荷回路の前記所定部分に供給させる制御処理と、
を実行させることを特徴とする残留電荷除去プログラム。
【発明の詳細な説明】
【技術分野】
【０００１】
本発明は、残留電荷除去装置、画像処理装置、残留電荷除去方法及び残留電荷除去プログラムに関し、詳細には、画像処理装置等の電源オフ時に該画像処理装置の電気回路に残留する残留する残留電荷を除去しつつ有効利用する残留電荷除去装置、画像処理装置、残留電荷除去方法及び残留電荷除去プログラムに関する。
【背景技術】
【０００２】
複合装置、複写装置、ファクシミリ装置、プリンタ装置、コンピュータ等の画像処理装置においては、電源スイッチがＯＮされると、電源部が商用電源から必要な電源電圧、電源電流を生成して、各種電圧値の電源電力を、電力負荷としての電気回路に供給する。画像処理装置は、電力負荷の各電気回路で電力を使用して該電気回路を動作させることで、種々の動作処理を行う。
【０００３】
そして、このような画像処理装置においては、電源スイッチがＯＦＦされると、電源部から電力負荷への電力供給を遮断する。
【０００４】
ところが、画像処理装置は、電源スイッチがオフされて電源部からの電力供給が遮断されても、電力負荷の電気回路において、その回路構成によって残留電荷が残留し、誤動作を引き起こすおそれがある。
【０００５】
そこで、従来から、電源ＯＦＦ後に、電力負荷の各電気回路を、接地して、残留電荷をＧＮＤに放電することで、誤動作の防止を図っている（特許文献１等参照）。
【発明の概要】
【発明が解決しようとする課題】
【０００６】
しかしながら、上記従来技術にあっては、装置の電源がＯＦＦされると、電力負荷の各電気回路を接地して残留電荷をＧＮＤに放電していたため、誤動作を防止することはできるが、電気回路内の電力が無駄に放電されていた。その結果、装置は、次に電源がＯＮされると、容量負荷等の電気回路については、電荷の蓄積から電力供給を行う必要があり、消費電力が増えるという問題があった。特に、頻繁に電源スイッチがＯＮ／ＯＦＦされる場合には、電荷の蓄積と放電が頻繁に繰り返されることとなり、電力の有効利用を図る上で、改良の必要があった。
【０００７】
そこで、本発明は、電気回路の誤動作を防止しつつ、電源ＯＦＦ時の残留電荷を有効利用することを目的としている。
【課題を解決するための手段】
【０００８】
上記目的を達成するために、請求項１記載の残留電荷除去装置は、電源供給手段から電源電力が供給される負荷回路に残留する電荷を除去する残留電荷除去装置であって、前記負荷回路に接続され該負荷回路に残留する前記残留電荷を受け取って蓄積するキャパシタと、前記キャパシタと前記負荷回路との間に接続され該キャパシタと該負荷回路との接続／切り離しを行う第１スイッチ手段と、前記キャパシタと前記負荷回路の所定部分との間に接続され該キャパシタと該負荷回路の該所定部分との接続／切り離しを行う第２スイッチ手段と、前記電源供給手段から前記負荷回路への電源電力の供給／供給停止を制御する電源制御手段と、前記第１スイッチ手段と前記第２スイッチ手段の接続／切り離しを、前記電源制御手段による前記電源電力の供給／供給停止に基づいて制御して、少なくとも該電源電力の供給停止時に、前記負荷回路の前記残留電荷を該第１スイッチ手段を通して前記キャパシタに蓄積させ、所定のタイミングで該キャパシタの電荷を該第２スイッチ手段を通して該負荷回路の前記所定部分に供給させる制御手段と、を備えていることを特徴としている。
【発明の効果】
【０００９】
本発明によれば、電気回路の誤動作を防止しつつ、電源ＯＦＦ時の残留電荷を有効利用することができる。
【図面の簡単な説明】
【００１０】
【図１】本発明の一実施例を適用した画像処理装置の要部回路構成図。
【図２】残留電荷除去処理を示すフローチャート。
【図３】残留電荷除去処理のタイミングチャート。
【図４】電源ＯＮ時の電荷の流れを示す画像処理装置の要部回路構成図。
【図５】電源ＯＦＦ時の電荷の流れを示す画像処理装置の要部回路構成図。
【図６】２回目以降の電源ＯＮ時の電化の流れを示す画像処理装置の要部回路構成図。
【図７】キャパシタと接地とを切り換え可能な残留電荷除去回路を備えた画像処理装置の要部回路構成図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図７は、本発明の残留電荷除去装置、画像処理装置、残留電荷除去方法及び残留電荷除去プログラムの一実施例を示す図であり、図１は、本発明の残留電荷除去装置、画像処理装置、残留電荷除去方法及び残留電荷除去プログラムの一実施例を適用した画像処理装置１の要部回路構成図である。
【００１３】
図１において、画像処理装置１は、複合装置、複写装置、ファクシミリ装置、プリンタ装置、コンピュータ等であり、図１では、画像処理装置１の電源系統の残留電荷除去部１０を中心に画像処理装置１の要部回路構成が示されている。
【００１４】
画像処理装置１は、画像処理装置としての各部を備えているとともに、電源回路部２、制御部３及び制御部３とともに残留電荷除去部１０を構築するスイッチＳＷ１、スイッチＳＷ２、抵抗Ｒ１、ダイオードＤ１、ダイオードＤ２及びキャパシタＣ等を備えている。
【００１５】
電源回路部２は、入力電源端子Ｖin、出力電源端子Ｖout及びアウトプットイネーブル（Output Enable）端子ＯＥ等を備えており、入力電源端子Ｖinには、図示しない画像処理装置１の電源供給部から５ＶのＤＣ電源電力が入力される。
【００１６】
制御部３は、ＳＷ１コントロール端子SW1 Control、電圧検出端子Voltage Sense、電圧調整端子Voltage Control、ＳＷ２コントロール端子SW2 Control、アウト制御端子Output Control及び入力電源端子Ｖin等を備えている。制御部3は、入力電源端子Ｖinに、図示しない画像処理装置１の電源供給部から５ＶのＤＣ電源電力が入力される。
【００１７】
この電源供給部は、図示しないが、例えば、ＡＣ（交流）１００Ｖの商用電源電力から画像処理装置１内で使用するＡＣ及びＤＣ（直流）の各種電圧値及び電流値の電源電力を生成して、画像処理装置１の各部に供給する。電源供給部は、その供給電源電力の一部として、５Ｖの直流電源電力を電源回路部２及び制御部３の入力電源端子Ｖinに供給する。
【００１８】
電源回路部（電源制御手段）２は、アウトプットイネーブル端子ＯＥに制御部３からハイ（Enable：イネーブル）とロー（ディセーブル：Disable）に切り換わるアウトプットイネーブル信号が入力される。電源回路部２は、ハイのアウトプットイネーブル信号が入力されると、入力電源端子Ｖinに入力されている５Ｖの電源電力から出力電力を生成して、出力電源端子Ｖoutから図示しない負荷回路２０へ出力する。また、電源回路部２は、アウトプットイネーブル端子ＯＥに入力されているアウトプットイネーブル信号がローになると、出力電源端子Ｖoutから負荷回路２０への電源電力の供給を停止する。
【００１９】
この電源回路部２の出力電源端子Ｖoutと負荷回路２０との間に、残留電荷除去部１０の制御部３以外の回路が接続されている。
【００２０】
制御部（制御手段）３は、電源回路部２の電源の供給／供給停止を制御するとともに、電源回路部２から負荷回路（電気回路）２０への電源供給遮断時に負荷回路２０に残留する残留電荷を、キャパシタＣへ蓄積させる。そして、制御部３は、次の電源回路部２の負荷回路２０への電源供給開始時に、該キャパシタＣへ蓄積した残留電荷を有効利用する。
【００２１】
すなわち、ＳＷ１コントロール端子SW1 Controlは、スイッチＳＷ１に接続されており、スイッチＳＷ１のＯＮ／ＯＦＦを制御するＯＮ／ＯＦＦ信号を、スイッチＳＷ１へ出力する。
【００２２】
このスイッチ（第１スイッチ手段）ＳＷ１は、電源回路部２の出力電源端子Ｖoutと負荷回路２０とを接続するラインとキャパシタＣとの間（すなわち、キャパシタＣと負荷回路２０との間）に接続されている。スイッチＳＷ１は、ＯＮすることで、負荷回路２０の残留電荷をキャパシタＣへ充電させる。
【００２３】
このスイッチＳＷ１と負荷回路２０との間には、抵抗Ｒ１が接続されており、また、スイッチＳＷ１とキャパシタＣとの間には、キャパシタＣ方向を順方向とするダイオードＤ１が接続されている。
【００２４】
この抵抗Ｒ１は、電流制限用の抵抗であり、抵抗Ｒ１の定数を適宜設定することで、スイッチＳＷ１がＯＮのときの電流値を設定することができる。
【００２５】
電圧検出端子（電位検出手段）Voltage Senseは、キャパシタＣとダイオードＤ１とのラインに接続されており、キャパシタＣの充電電圧を検出する。
【００２６】
電圧調整端子Voltage Controlは、キャパシタＣと図示しない接地ラインに接続されており、制御部３は、電圧調整端子Voltage Controlに接続されているキャパシタＣと接地ラインとの接続と接続の切り離しを行なって、キャパシタＣの充電電圧を調整する。
【００２７】
スイッチＳＷ２コントロール端子SW2 Controlは、スイッチＳＷ２に接続されており、スイッチＳＷ２のＯＮ／ＯＦＦを制御するＯＮ／ＯＦＦ信号を、スイッチＳＷ２へ出力する。
【００２８】
このスイッチ（第２スイッチ手段）ＳＷ２は、キャパシタＣと負荷回路２０との間に接続されており、スイッチＳＷ２と負荷回路２０との間には、スイッチＳＷ２から負荷回路２０方向を順方向とするダイオードＤ２が接続されている。スイッチＳＷ２は、負荷回路２０に対して、スイッチＳＷ１と同じ部分に接続されている。
【００２９】
上記ダイオード（第１方向規制手段）Ｄ１は、スイッチＳＷ１がＯＮのときに、キャパシタＣの電位が出力電源端子Ｖoutの電位よりも高くなった場合に、キャパシタＣから出力電源端子Ｖout側に電荷が逆流するのを防止する。
【００３０】
また、ダイオード（第２方向規制手段）Ｄ２は、スイッチＳＷ２がＯＮのときに、出力電源端子Ｖoutの電位がキャパシタＣの電位よりも低くなった場合に、不要な電流が出力電源端子ＶoutからキャパシタＣに逆流するのを防止する。
【００３１】
そして、上記制御部３及びスイッチＳＷ１、スイッチＳＷ２、抵抗Ｒ１、ダイオードＤ１、ダイオードＤ２及びキャパシタＣは、全体として、残留電荷除去部（残留電荷除去装置）１０を構築している。すなわち、残留電荷除去部１０は、電源回路部２から負荷回路２０への電源供給ＯＦＦ時に、負荷回路２０の残留電荷をキャパシタＣに蓄積保管し、次の電源ＯＮ時に、キャパシタＣに蓄積した電荷を負荷回路２０に供給する。
【００３２】
そして、画像処理装置１は、制御部３のＲＯＭ（Read Only Memory）等に本発明の残留電荷除去方法を実行する残留電荷除去プログラムが導入されることで、残留電荷除去部１０を負荷回路２０の電源ＯＦＦ時の残留電荷を除去しつつ、該残留電荷の有効利用を図っている。すなわち、画像処理装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の残留電荷除去方法を実行する残留電荷除去プログラムを読み込んでＲＯＭ等に導入することで、後述する電源回路部２から負荷回路２０への供給電源電力の電源ＯＦＦ時における残留電荷を適切に除去して誤動作を防止しつつ、残留電荷を有効利用する残留電荷除去方法を実行する残留電荷除去装置として構築されている。この残留電荷除去プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３３】
次に、本実施例の作用を説明する。本実施例の画像処理装置１は、電源回路部２から負荷回路２０への電源供給ＯＦＦ時における電気回路の誤動作を防止しつつ、電源ＯＦＦ時の残留電荷を有効利用する。
【００３４】
すなわち、画像処理装置１は、初期状態において、スイッチＳＷ１及びスイッチＳＷ２が、図１に示すように、ＯＦＦの状態となっている。
【００３５】
この状態において、制御部３は、図２に示すように、電源ＯＮのイベント（PowerON Event）の発生の有無をチェックする（ステップＳ１０１）。
【００３６】
制御部３は、ステップＳ１０１で、電源ＯＮイベントが発生すると（ステップＳ１０１で、ＹＥＳのとき）、アウト制御端子Output Controlから電源回路部２のアウトプットイネーブル端子ＯＥへのアウトプットイネーブル信号をハイ（イネーブル：Enable）にする（ステップＳ１０２）。このとき、制御部３は、スイッチＳＷ１及びスイッチＳＷ２を、ＯＦＦの状態を維持させる。
【００３７】
すなわち、図３に示すように、画像処理装置１は、最初の電源ＯＮのイベントが発生する前においては、入力電源端子Ｖinへの電源電力のみに電源電圧が入力されている。電源ＯＮイベントが発生すると、アウトプットイネーブル信号をハイにして、電源回路部２のアウトプットイネーブル端子ＯＥの入力がハイになる。電源回路部２は、アウトプットイネーブル端子ＯＥの入力がハイになると、入力電源端子Ｖinに入力されている電源電力から出力電源電力を生成して、出力電源端子Ｖoutから負荷回路２０に供給する。したがって、図３に示すように、アウトプットイネーブル端子ＯＥの入力がローからハイになると、徐々に出力電源端子Ｖoutの電圧値が上昇して、所定の出力電圧になると、一定する。
【００３８】
そして、画像処理装置１は、電源ＯＮ時においては、図４に太矢印で示すように、電源回路部２の出力電源端子Ｖoutから負荷回路２０へ電源電力が供給される。
【００３９】
制御部３は、その後、電源ＯＦＦのイベント（PowerOFF Event）が発生したか否か（有無）のをチェックし（ステップＳ１０３）、電源ＯＦＦイベントの発生がないとき（ステップＳ１０３で、ＮＯのとき）には、所定間隔で電源ＯＦＦイベントの発生の有無をチェックする（ステップＳ１０３）。
【００４０】
ステップＳ１０３で、電源ＯＦＦイベントが発生すると、制御部３は、アウト制御端子Output Controlから電源回路部２のアウトプットイネーブル端子ＯＥへのアウトプットイネーブル信号をロー（ディセーブル：Disable）にする（ステップＳ１０４）。次に、制御部３は、ＳＷ１コントロール端子SW1 ControlからスイッチＳＷ１へのＯＮ／ＯＦＦ信号をＯＮにして、スイッチＳＷ１をＯＮさせる（ステップＳ１０５）。
【００４１】
電源回路部２は、図３に示すように、アウトプットイネーブル端子ＯＥに入力されているアウトプットイネーブル信号がローになると、入力電源端子Ｖinに入力される電源電力からの出力電源電力の生成を停止するため、出力電源端子Ｖoutの出力電源電力が徐々に低下する。
【００４２】
そして、制御部３は、電圧検出端子Voltage SenseでキャパシタＣの電圧を検出し、検出電圧が安定したか判断して、安定するまで待つ（ステップＳ１０６）。
【００４３】
すなわち、電源回路部２の出力電源電力が停止され、スイッチＳＷ１がＯＮされると、図５に太矢印で示すように、負荷回路２０の残留電荷が、抵抗Ｒ１、スイッチＳＷ１及びダイオードＤ１を通してキャパシタＣに蓄積される。そして、制御部３は、出力電源端子Ｖoutの出力電源電力の電圧が、０Ｖ付近で安定すると、キャパシタＣへの電荷の蓄積が完了したと判断する。
【００４４】
ステップＳ１０６で、電圧検出端子Voltage Senseの検出するキャパシタＣの電圧が安定すると（ステップＳ１０６で、ＹＥＳのとき）、制御部３は、キャパシタＣへの残留電荷の蓄積、すなわち、負荷回路２０の残留電荷の除去が完了したと判断する。そして、制御部３は、ＳＷ１コントロール端子SW1 ControlからＯＮのＯＮ／ＯＦＦ信号をスイッチＳＷ１に出力して、スイッチＳＷ１をＯＦＦにする（ステップＳ１０７）。
【００４５】
すなわち、図３に示すように、電源回路部２の出力電源がオフになってから、電圧検出端子Voltage Senseの検出するキャパシタＣの電圧が安定すると、制御部３は、負荷回路２０の残留電荷の除去が完了したと判断して、ＳＷ１コントロール端子SW1 ControlからＯＮのＯＮ／ＯＦＦ信号をスイッチＳＷ１に出力する。
【００４６】
制御部３は、次に、電源ＯＮイベントが発生したかチェックし（ステップＳ１０８）、発生していないときには、所定間隔で電源ＯＮイベントの監視を行う。
【００４７】
ステップＳ１０８で、電源ＯＮイベントが発生すると、制御部３は、まず、アウト制御端子Output Controlから電源回路部２のアウトプットイネーブル端子ＯＥへのアウトプットイネーブル信号をハイ（イネーブル：Enable）にする（ステップＳ１０９）。次に、制御部３は、ＳＷ２コントロール端子SW2 ControlからＯＮのＯＮ／ＯＦＦ信号をスイッチＳＷ２に出力して、スイッチＳＷ２をＯＮにする（ステップＳ１１０）。
【００４８】
さらに、制御部３は、電圧調整端子Voltage Controlの電圧制御を行なって、図３に示すように、徐々に電圧を上昇させることで、キャパシタＣからの電荷を、図６に太矢印で示すように、適切に負荷回路２０へ供給されるようにする。すなわち、電圧調整端子Voltage Controlの電圧値によっては、キャパシタＣからの出力が電源回路部２の出力電源端子Ｖout側に移動するため、電圧調整端子Voltage Controlの電圧値を、例えば、３．３Ｖ程度以上に調整する。
【００４９】
その後、制御部３は、キャパシタＣの電荷を放電しきると、スイッチＳＷ２コントロール端子SW2 ControlからのＯＮ／ＯＦＦ信号を、ＯＦＦにして、スイッチＳＷ２をオフさせる（ステップＳ１１３）。
【００５０】
したがって、この２回目以降の電源ＯＮイベントでは、出力電源端子Ｖoutから負荷回路２０へ流れる電荷量は、キャパシタＣから負荷回路２０へ流れる分だけ、１回目の電源ＯＮイベントの場合よりも少なくなる。その結果、残留電荷除去部１０は、電源ＯＦＦに負荷回路２０の残留電荷をキャパシタＣに蓄積して、誤動作が発生するのを防止することができるとともに、キャパシタＣに蓄積した分だけ、次の電源ＯＮ時の消費電力を削減することができる。
【００５１】
なお、上記画像処理装置１は、残留電荷除去回路１０が、負荷回路２０の残留電荷を全てキャパシタＣに蓄積する場合について説明したが、図７に示すように、残留電荷除去回路３０が、キャパシタＣの容量と負荷回路２０の残留電荷量との兼ね合いから、一部を接地に流すものであってもよい。なお、図７において、図１と同様の構成部分には、同一の符号を付して、その説明を省略する。
【００５２】
すなわち、図７において、残留電荷除去回路３０は、キャパシタＣが、スイッチＳＷ３を介してダイオードＤ１、スイッチＳＷ２及び制御部３１の電圧検出端子Voltage Senseに接続されている。
【００５３】
スイッチ（切換手段）ＳＷ３は、ダイオードＤ１、スイッチＳＷ２及び制御部３１の電圧検出端子Voltage Senseに接続されている共通端子と、２つの切換端子とを備えている。切換端子は、１つの切換端子が、接地に接続され、もう１つの切換端子が、キャパシタＣに接続されている。
【００５４】
キャパシタＣは、さらに、上記同様に、制御部３１の電圧調整端子（電位検出手段）Voltage Controlに接続されている。
【００５５】
制御部（制御手段）３１は、ＳＷ３コントロール端子SW3 Controlを備えており、ＳＷ３コントロール端子SW3 Controlから切換信号をスイッチＳＷ３に出力して、スイッチＳＷ３の共通端子を、２つの切換端子に選択的に接続させる。
【００５６】
図７の画像処理装置１は、制御部３１が、電源ＯＦＦ時に、スイッチＳＷ３が電圧検出端子Voltage SenseとキャパシタＣを接続している状態で、電圧検出端子Voltage Senseの電圧によってキャパシタＣの電位を測定する。制御部３１は、電圧検出端子Voltage Senseの電位に基づいてキャパシタＣの充電状態を判断し、キャパシタＣが満杯に充電されていると判断すると、ＳＷ３コントロール端子SW3 Controlから切換信号をスイッチＳＷ３して、電圧検出端子Voltage Senseを接地に接続する。
【００５７】
したがって、残留電荷除去回路３０は、電源ＯＦＦ時に、キャパシタＣが満充電状態となって、負荷回路２０の残留電荷を除去できない状態となったときに、電圧検出端子Voltage Senseを接地に接続して、残留電荷を適切に除去する。
【００５８】
なお、上記説明においては、残留電荷除去回路１０、３０は、スイッチＳＷ２が、キャパシタＣと負荷回路２０のスイッチＳＷ１の接続部分と同じ部分との間にスイッチＳＷ１に対して並列に接続され、制御部３、３１が、電源回路部２による電源電力の供給開始時に、スイッチＳＷ２を接続（ＯＮ）状態にしてキャパシタＣの電荷を負荷回路２０に供給させる場合について説明したが、キャパシタＣの利用方法としては、上記方法に限るものではない。例えば、残留電荷除去回路１０、３０は、スイッチＳＷ２を、キャパシタＣと負荷回路２０の適宜の部分、例えば、大きな電力を必要とする部分等に接続して、画像処理装置１の二次電池として利用してもよい。
【００５９】
このようにすると、残留電荷を二次電池の蓄積電荷として利用することができ、残留電荷の利用性を向上させることができるとともに、電源オフから電源オンまでの時間が長い時にも、キャパシタＣの電荷を有効利用することができる。
【００６０】
また、残留電荷除去回路１０、３０を、画像処理装置１の備えている複数の負荷回路２０毎に設け、その負荷回路２０用のキャパシタＣに蓄積された電荷を、その負荷回路２０に対してだけでなく、他の負荷回路２０に供給して利用してもよい。
【００６１】
このようにすると、キャパシタＣに蓄積された残留電荷を、該残留電荷が放電されてしまう前に、電力を必要とする負荷回路２０に供給して、より一層有効利用することができる。
【００６２】
そして、制御部３、３１は、電圧検出端子Voltage Senseと電圧調整端子Voltage Controlを利用して、電圧検出端子Voltage Senseの検出電位が常に０Ｖまたはそれ以下となるように調整してもよい。
【００６３】
このようにすると、負荷回路２０に、例えば、ＦＥＴ（Field Effect Transistor ）等が用いられている場合に、該ＦＥＴのＯＮ動作等の動作を適切に行わせることができる。すなわち、負荷回路２０としては、スイッチ回路をＦＥＴが用いられることが多いが、ＦＥＴは、ベース−エミッタ電圧ＶBE＝０．７Ｖが以上ないとＯＮすることができない。この場合、キャパシタＣの蓄積電荷が増加して、スイッチＳＷ１側の電位が上昇して負荷回路２０の電位が上昇すると、ＦＥＴがＯＮできなくなるおそれがある。ところが、上述のように、電圧検出端子Voltage Senseの検出電位が常に０Ｖまたはそれ以下に調整すると、ＦＥＴのベース−エミッタ電圧ＶBEを、ＯＶあるいは、−０．７Ｖに調整することができ、ＦＥＴを確実にＯＮ動作させることができる。
【００６４】
このように、本実施例の画像処理装置１は、電源回路部（電源供給手段）２から電源電力が供給される負荷回路２０に残留する電荷を除去する残留電荷除去部（残留電荷除去装置）１０であって、負荷回路２０に接続され該負荷回路２０に残留する前記残留電荷を受け取って蓄積するキャパシタＣと、キャパシタＣと負荷回路２０との間に接続され該キャパシタＣと該負荷回路２０との接続／切り離しを行うスイッチ（第１スイッチ手段）ＳＷ１と、キャパシタＣと負荷回路２０の所定部分との間に接続され該キャパシタＣと該負荷回路２０の該所定部分との接続／切り離しを行うスイッチ（第２スイッチ手段）ＳＷ２と、電源回路部２から負荷回路２０への電源電力の供給／供給停止を制御する制御部（電源制御手段）３と、スイッチＳＷ１とスイッチＳＷ２の接続／切り離しを、電源回路部２による電源電力の供給／供給停止に基づいて制御して、少なくとも該電源電力の供給停止時に、負荷回路２０の前記残留電荷を、スイッチＳＷ１を通してキャパシタＣに蓄積させ、所定のタイミングで該キャパシタＣの電荷を、スイッチＳＷ２を通して負荷回路２０の前記所定部分に供給させる制御部（制御手段）３と、を備えている。
【００６５】
したがって、電源回路部２から負荷回路２０への電源供給が停止されたときに、負荷回路２０に残留する残留電荷をキャパシタＣに蓄積して負荷回路２０から残留電荷を除去することができるとともに、適時にキャパシタＣに蓄積した電荷を負荷回路２０に供給することができ、残留電荷による負荷回路２０の誤動作を防止することができるとともに、残留電荷を有効利用することができる。その結果、画像処理装置１の動作の適切化を図ることができるとともに、消費電力を削減することができる。
【００６６】
また、本実施例の画像処理装置１は、電源回路部（電源供給手段）２から電源電力が供給される負荷回路２０に残留する電荷を除去する残留電荷除去部（残留電荷除去装置）１０が、負荷回路２０に接続され該負荷回路２０に残留する前記残留電荷を受け取って蓄積するキャパシタＣと負荷回路２０との接続／切り離しを行う第１スイッチ処理ステップと、キャパシタＣと負荷回路２０の所定部分との接続／切り離しを行う第２スイッチ処理ステップと、電源回路部２から負荷回路２０への電源電力の供給／供給停止を制御する電源制御処理ステップと、前記第１スイッチ処理ステップと前記第２スイッチ処理ステップによる接続／切り離しを、該電源制御処理ステップによる電源電力の供給／供給停止に基づいて制御して、少なくとも該電源電力の供給停止時に、負荷回路２０の残留電荷を該第１スイッチ処理ステップによってキャパシタＣに蓄積させ、所定のタイミングで該キャパシタＣの電荷を該第２スイッチ処理ステップによって該負荷回路２０の前記所定部分に供給させる制御処理ステップと、を有する残留電荷除去方法を実行する。
【００６７】
したがって、電源回路部２から負荷回路２０への電源供給が停止されたときに、負荷回路２０に残留する残留電荷をキャパシタＣに蓄積して負荷回路２０から残留電荷を除去することができるとともに、適時にキャパシタＣに蓄積した電荷を負荷回路２０に供給することができ、残留電荷による負荷回路２０の誤動作を防止することができるとともに、残留電荷を有効利用することができる。その結果、画像処理装置１の動作の適切化を図ることができるとともに、消費電力を削減することができる。
【００６８】
さらに、本実施例の画像処理装置１は、電源回路部（電源供給手段）２から電源電力が供給される負荷回路２０に残留する電荷を除去する残留電荷除去部（残留電荷除去装置）１０が、制御プロセッサに、負荷回路２０に接続され該負荷回路２０に残留する前記残留電荷を受け取って蓄積するキャパシタＣと負荷回路２０との接続／切り離しを行う第１スイッチ処理と、キャパシタＣと負荷回路２０の所定部分との接続／切り離しを行う第２スイッチ処理と、電源回路部２から負荷回路２０への電源電力の供給／供給停止を制御する電源制御処理と、前記第１スイッチ処理と前記第２スイッチ処理による接続／切り離しを、該電源制御処理による電源電力の供給／供給停止に基づいて制御して、少なくとも該電源電力の供給停止時に、負荷回路２０の残留電荷を該第１スイッチ処理によってキャパシタＣに蓄積させ、所定のタイミングで該キャパシタＣの電荷を該第２スイッチ処理によって該負荷回路２０の前記所定部分に供給させる制御処理と、を実行させる残留電荷除去プログラムを搭載している。
【００６９】
したがって、電源回路部２から負荷回路２０への電源供給が停止されたときに、負荷回路２０に残留する残留電荷をキャパシタＣに蓄積して負荷回路２０から残留電荷を除去することができるとともに、適時にキャパシタＣに蓄積した電荷を負荷回路２０に供給することができ、残留電荷による負荷回路２０の誤動作を防止することができるとともに、残留電荷を有効利用することができる。その結果、画像処理装置１の動作の適切化を図ることができるとともに、消費電力を削減することができる。
【００７０】
また、本実施例の画像処理装置１は、その残留電荷除去部１０が、スイッチＳＷ１に直列に接続され負荷回路２０からキャパシタＣ方向へのみ電流の流れを規制するダイオード（第１方向規制手段）Ｄ１と、スイッチＳＷ２に直列に接続されキャパシタＣから負荷回路２０方向へのみ電流の流れを規制するダイオード（第２方向規制手段）Ｄ２と、を備えている。
【００７１】
したがって、電流が逆流することを防止することができ、効率的で適切な電荷制御を行うことができる。
【００７２】
さらに、本実施例の画像処理装置１は、その残留電荷除去部１０のスイッチＳＷ２が、キャパシタＣと負荷回路２０のスイッチＳＷ１の接続部分と同じ部分との間に該スイッチＳＷ１に対して並列に接続され、制御部３が、前記電源回路部２による電源電力の供給開始時に、スイッチＳＷ２を接続状態にしてキャパシタＣの電荷を負荷回路２０に供給させている。
【００７３】
したがって、電源ＯＦＦ状態となったときにキャパシタＣに蓄積した電荷を電源ＯＮ開始時に、電源回路部２からの電源電力とともに負荷回路２０に供給して電源電力の消費量を削減することができる。
【００７４】
また、本実施例の画像処理装置１は、キャパシタＣの充電電位を検出する電圧検出端子（電位検出手段）Voltage Senseを、さらに備え、制御部３が、電圧検出端子Voltage Senseの検出結果に基づいてスイッチＳＷ１の接続／切り離し動作を制御している。
【００７５】
したがって、キャパシタＣの充電電位に応じて充電を行うことができる。
【００７６】
さらに、本実施例の画像処理装置１は、その残留電荷除去部３０が、負荷回路２０をキャパシタＣと接地ラインとに切り換えて接続するスイッチ（切換手段）ＳＷ３と、キャパシタＣの充電電位を検出する電圧検出端子（電位検出手段）Voltage Senseと、を、さらに備え、制御部（制御手段）３１が、電圧検出端子Voltage Senseが、キャパシタＣの充電電位が該キャパシタＣの満充電電位を検出するまでは、スイッチＳＷ３に負荷回路２０と該キャパシタＣを接続させ、電圧検出端子Voltage Senseが該キャパシタＣの満充電電位を検出すると、該スイッチＳＷ３に負荷回路２０と接地ラインを接続させる。
【００７７】
したがって、キャパシタＣの充電電位に応じて負荷回路２０の残留電荷のキャパシタＣＣへの蓄積と接地への放出を切り換えて行うことができ、残留電荷除去部３０に残留電荷除去作用を十分かつ適切に実行させることができるとともに、残留電荷の有効利用を図ることができる。
【００７８】
また、画像処理装置１は、負荷回路２０が複数ある場合、１つの残留電荷除去部１０、３０で、複数の負荷回路２０の残留電荷を、１つのキャパシタＣに蓄積してもよい。
【００７９】
このようにすると、キャパシタＣの個数を削減することができるとともに、複数の負荷回路２０に対してキャパシタＣの蓄積電荷を共用させることができ、自然放電により電荷が失われる前に、蓄積電荷を有効利用する機会を増やすことができる。
【００８０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００８１】
１  画像処理装置
２  電源回路部
３  制御部
１０  残留電荷除去部
２０  負荷回路
３０  残留電荷除去回路
３１  制御部
ＳＷ１、ＳＷ２  スイッチ
Ｒ１  抵抗
Ｄ１、Ｄ２  ダイオード
Ｃ  キャパシタ
Ｖin  入力電源端子
Ｖout  出力電源端子
ＯＥ  アウトプットイネーブル端子
SW1 Control  ＳＷ１コントロール端子
Voltage Sense  電圧検出端子
Voltage Control  電圧調整端子
SW2 Control  ＳＷ２コントロール端子
Output Control  アウト制御端子
Ｖin  入力電源端子
ＳＷ３  スイッチ
SW3 Control  ＳＷ３コントロール端子
【先行技術文献】
【特許文献】
【００８２】
【特許文献１】特開平７−２１０１１２号公報
【図１】
2014092712.tif 000003
【図２】
2014092712.tif 000004
【図３】
2014092712.tif 000005
【図４】
2014092712.tif 000006
【図５】
2014092712.tif 000007
【図６】
2014092712.tif 000008
【図７】
2014092712.tif 000009